(57)【要約】【課題】特に骨伝導電話機の受話器に採用したときに、骨伝導音だけでなく、空気振動音についても十分な音量を得ることができて明瞭に聴取することが可能な骨伝導スピーカを提供することを課題とする。【解決手段】骨伝導スピーカユニット１とそれを収容して振動部となるケース２とから成り、骨伝導スピーカユニット１を固定するケース２の振動面１１の周縁部に沿って、コルゲーション１２等のコンプライアンス増大手段を配置した。【選択図】        図１
2004274593.tif 000002
【特許請求の範囲】
【請求項１】
骨伝導スピーカユニットとそれを収容して振動部となるケースとから成り、前記骨伝導スピーカユニットを固定する前記ケースの振動面の周縁部に沿って、コンプライアンス増大手段を配置したことを特徴とする骨伝導スピーカ。
【請求項２】
前記コンプライアンス増大手段がコルゲーションである請求項１に記載の骨伝導スピーカ。
【請求項３】
前記コルゲーションが複数重に形成される請求項２に記載の骨伝導スピーカ。
【請求項４】
前記コンプライアンス増大手段が前記振動面と異なる資材製の弾性材を配置したものである請求項１に記載の骨伝導スピーカ。
【請求項５】
前記ケースの振動面の前記コンプライアンス増大手段の内側が球面状に形成される請求項１乃至４のいずれかに記載の骨伝導スピーカ。
【請求項６】
前記ケースが電話機のケースである請求項１に記載の骨伝導スピーカ。
【発明の詳細な説明】
【０００１】
【発明が属する技術分野】
本発明は骨伝導スピーカ、より詳細には、音声信号を骨伝導音として伝達するスピーカであって、電話機等に組み込んだ場合において、頭部に圧着せずに使用しても、音量感を損なわない骨伝導スピーカに関するものである。
【０００２】
【従来の技術】
例えば骨伝導スピーカは、中心磁極２３を取り巻くドーナツ型のボイスコイル２４と、ヨーク２６周縁の周壁２７の内周面に沿って配置されるマグネット２５と、周壁２７の上面に取り付けられる振動板２８と、振動板２８の上面に固定される振動ブロック２９とで構成される骨伝導スピーカユニット２１と、これを収納するケース２２とから成り、骨伝導スピーカユニット２１は、その振動ブロック２９がケース２２内の天面に、ネジ３０等を介して固定されることにより、ケース２２内に設置される構造となっている（図４）。
【０００３】
この構成の場合、振動板２８の振動に伴い振動ブロック２９を介して振動板２８を固着しているケース振動面が振動するので、このケース振動面を耳の後ろや頬、額等に当てることで、その振動が骨伝導音として伝達される。従って、耳が不自由な人や高齢者であっても、音をはっきりと聞くことが可能となる。
【０００４】
このような構成の骨伝導スピーカを電話機に組み込んで使用した場合において、骨伝導スピーカのケース振動面を頭部から離すと、ケース振動面の振動が空気振動として伝達され、通常の音と同様に、鼓膜を通しての聴取が可能となる。従って、健常者がこの骨伝導電話機を使用する場合は、ケース振動面を頭部に圧着するという煩わしい方法を採らず、耳元に受話器を近づけて使用する方法を採る。しかし、そのような使用法によった場合は、十分な空気振動が得られないために、音量感が損なわれるという問題がある。
【０００５】
【発明が解決しようとする課題】
従来の骨伝導スピーカには上述したような問題があったので、本発明は、そのような問題のない、即ち、特に骨伝導電話機の受話器に採用したときに、骨伝導音だけでなく、空気振動音についても十分な音量を得ることができて明瞭に聴取することが可能な骨伝導スピーカを提供することを課題とする。
【０００６】
【課題を解決するための手段】
本発明は、骨伝導スピーカユニットとそれを収容して振動部となるケースとから成り、前記骨伝導スピーカユニットを固定する前記ケースの振動面の周縁部に沿って、コンプライアンス増大手段を配置したことを特徴とする骨伝導スピーカ、を以て上記課題を解決するものである。
【０００７】
通例、前記コンプライアンス増大手段はコルゲーションであり、その場合、前記コルゲーションが複数重に形成されることもある。
【０００８】
また、前記コンプライアンス増大手段は、前記振動面と異なる資材製の弾性材を配置したものとすることもできる。
【０００９】
前記ケースの振動面の前記コンプライアンス増大手段の内側は球面状に形成することがあり、また、前記ケースは電話機のケースとすることができる。
【００１０】
【発明の実施の形態】
本発明の実施の形態を添付図面に依拠して説明する。図１は、本発明に係る骨伝導スピーカの一実施例を示す縦断面図であり、図２は、他の実施例の要部拡大縦断面図である。本発明に係る骨伝導スピーカは、骨伝導スピーカユニット１と、それを収容するケース２とから成る。
【００１１】
通例、骨伝導スピーカユニット１は、中心磁極３を取り巻くドーナツ型のボイスコイル４と、ヨーク６周縁の周壁７の内周面に沿って配置されるマグネット５と、周壁７の上面に取り付けられる振動板８と、振動板８の上面に固定される振動ブロック９とで構成される。骨伝導スピーカユニット１は、その振動ブロック９がケース２内の天面に、ネジ１０等を介して固定されることにより、ケース２内に設置される。
【００１２】
ケース２の振動面１１、即ち、振動ブロック９を固定する面の周縁部に沿って、肉薄のコルゲーション１２が形成される。このコルゲーション１２は、振動面１１のコンプライアンス（スティフネスの逆数）をある程度大きくするためのもので、図１に示すものは一輪であり、図２に示すものは二重輪であるが、更に多重にしてもよい。この肉薄のコルゲーション１２を形成する代わりに、その部分に別体のゴム等の弾性材を配設することとしてもよい。
【００１３】
上記構成の骨伝導スピーカを受話器部分に採用した電話機を難聴者等が使用する場合は、受話器部分を頭部の耳又はその周辺部に圧着して使用する。その場合は、頭部の質量に対し、ケース２及び振動板８の質量は無視できるので、スピーカの低音限界を決める最低共振周波数ｆ０は、ボイスコイル４、マグネット５、及びヨーク６等の振動系の実効質量Ｍと、振動系の支持要素である振動板８のコンプライアンスＣにより決まる（数１参照）。
【数１】
2004274593.tif 000003
【００１４】
なお、言うまでもなく、振動板８のコンプライアンスＣは、振動板８と中心磁極３との間のギャップ内の磁束の変化や、骨伝導スピーカユニット１の重量に負けずに上記ギャップを保持し得る硬さを阻害しないように、小さく抑えなければならない。そのため、振動板８の十分な振幅が得られず、ｆ０はある程度高いものとなる。
【００１５】
また上記電話機を健常者が頭部に圧着しないで使用する場合にも、やはり受話器は手で持たれるため、上記と同様のことがいえるが、コルゲーション１２によるコンプライアンスＣＣがあるため、それにより最低共振周波数ｆ０Ｃが低くなり（数２参照）、コルゲーション１２の内側部は十分な振幅が得られ、音圧周波数特性の向上を図ることができるので、音波が発射されやすくなり、聴取に十分な音量の確保が可能となる。
【数２】
2004274593.tif 000004
【００１６】
図３は、コルゲーション１２を設けていない場合（Ａ）の最低共振周波数ｆ０と、コルゲーション１２を設けた場合（Ｂ）の最低共振周波数Ｆ０Ｃを比較するための実測グラフで、（Ａ）の場合よりも、本発明に係る（Ｂ）の場合の方が低くなっていることが分かる。
【００１７】
携帯電話用等のように小型軽量が求められるものについては、ボイスコイル４、マグネット５、及びヨーク６等の実効質量Ｍが小さいために基本周波数が高くなりがちであるが、そのような場合、コルゲーション１２による付加コンプライアンスは特に有効である。
【００１８】
なお、ケース２は、スピーカ自体のケースの場合だけでなく、電話機のケースの場合もあり得るが、その場合でも、コルゲーション１２により振動部をある程度独立させることができるので、有利である。
【００１９】
上記いずれの実施形態の場合においても、コルゲーション１２又はこれに代わる弾性材の内側の振動面１１を、球面状にして若干膨出させることが好ましい。そのようにした場合は、振動面１１を頭部に当接しやすくなる。
【００２０】
【発明の効果】
本発明は上述した通りであって、本発明に係る骨伝導スピーカは、特に骨伝導電話機の受話器に採用したときに、骨伝導音と空気振動音のいずれの場合にも、十分な音量を得ることができて聴取に支障を来たさないという効果がある。
【図面の簡単な説明】
【図１】本発明に係る骨伝導スピーカの実施例を示す縦断面図である。
【図２】本発明に係る骨伝導スピーカの実施例を示す要部拡大縦断面図である。
【図３】本発明に係るコンプライアンス増大手段を設けた場合と設けない場合とにおける、最低共振周波数の違いを示すためのグラフである。
【図４】従来の骨伝導スピーカの実施例を示す縦断面図である。
【符号の説明】
１    骨伝導スピーカユニット
２    ケース
３    中心磁極
４    ボイスコイル
５    マグネット
６    ヨーク
７    周壁
８    振動板
９    振動ブロック
１０  ネジ
１１  振動面
１２  コルゲーション
【図１】
2004274593.tif 000005
【図２】
2004274593.tif 000006
【図３】
2004274593.tif 000007
【図４】
2004274593.tif 000008